(57)【要約】  本発明は、円筒状器具シャンク、特に、歯科器具を固定するためのクランプ装置（１）であって、前記クランプ装置が、器具シャンクを保持するためのばね仕掛け要素（２）、回転運動を伝達するための中空シャフト（３）、およびプランジャーを備え、ばね仕掛け要素（２）が円筒状の壁、第一の開口部（６）および第二の開口部（７）を持つスリーブとして設計されており、壁が切り抜き（８）を持つ、クランプ装置に関する。ばね仕掛け要素（２）、シャフト（３）およびプランジャー（４）は、同軸性に配置された回転軸を持ち、シャフト（３）はばね仕掛け要素（２）の第一の開口部（６）の中に少なくとも部分的に突出し、プランジャー（４）はばね仕掛け要素（２）の第二の開口部（７）の中に少なくとも部分的に突出する。【選択図】図１
2018512221.tif 000002
【特許請求の範囲】
【請求項１】
円筒状器具シャンク、特に歯科器具を固定するためのクランプ装置（１）であって、前記クランプ装置が、前記器具シャンクを保持するためのばね仕掛け要素（２）、回転運動を伝達するための中空シャフト（３）、およびプランジャーを備え、前記ばね仕掛け要素（２）が、円筒状の壁、第一の開口部（６）および第二の開口部（７）を持つスリーブとして設計されており、前記壁が切り抜き（８）を持ち、前記ばね仕掛け要素（２）、前記シャフト（３）および前記プランジャー（４）が同軸性に配置された回転軸を持つことを特徴とし、前記シャフト（３）が前記ばね仕掛け要素（２）の前記第一の開口部（６）の中に少なくとも部分的に突出し、前記プランジャー（４）が前記ばね仕掛け要素（２）の前記第二の開口部（７）の中に少なくとも部分的に突出するクランプ装置。
【請求項２】
前記ばね仕掛け要素（２）が、ポジティブエンゲージメントおよび／または非ポジティブエンゲージメント様式で前記シャフト（３）に接続されることを特徴とする、請求項１に記載のクランプ装置（１）。
【請求項３】
前記切り抜き（８）が、前記ばね仕掛け要素（２）の前記回転軸に少なくともほぼ並行に延長するスロットとして、前記ばね仕掛け要素（２）の前記壁に形成され、少なくとも一つのスロットが前記ばね仕掛け要素（２）の前記第一の開口部（６）の所で始まり、少なくとも第二のスロットが前記第二の開口部（７）の所で始まることを特徴とする、請求項１または２に記載のクランプ装置（１）。
【請求項４】
前記第一の開口部（６）の所で始まる前記スロットが、前記第二の開口部（７）の所で始まるスロットからオフセットされるように、ばね仕掛け要素（２）の周方向に配置されることを特徴とする、請求項３に記載のクランプ装置（１）。
【請求項５】
前記スロットが、前記ばね仕掛け要素（２）の前記開口部（６、７）から外側を向いている端の上に幅広い切り抜き（９）を持つことを特徴とする、請求項３または４に記載のクランプ装置（１）。
【請求項６】
前記ばね仕掛け要素（２）が耐酸および耐食材料で作られていることを特徴とする、請求項１〜５のいずれか一項に記載のクランプ装置（１）。
【請求項７】
前記ばね仕掛け要素（２）が、前記第一および前記第二の開口部（６、７）の周りに、内側に向かって斜め下方に傾斜する作動面（１０）を持つことを特徴とする、請求項１〜６のいずれか一項に記載のクランプ装置（１）。
【請求項８】
前記準備器具が、請求項１〜７のいずれか一項に記載のクランプ装置（１）を備えることを特徴とする、歯科準備器具。
【発明の詳細な説明】
【技術分野】
【０００１】
本発明は、円筒状器具シャンク、特に、歯科器具を固定することを目的とし、器具シャンクを保持するためのばね仕掛け要素、回転運動を伝達するための中空シャフト、およびプランジャーを備えるクランプ装置であって、ばね仕掛け要素が円筒状の壁、第一の開口部および第二の開口部を持つスリーブとして設計されており、壁が切り抜きを持つ、クランプ装置に関する。
【背景技術】
【０００２】
回転駆動する、円筒状器具シャンクを固定するためのクランプ装置のさまざまな変形が従来技術から知られている。
【０００３】
公表文書ＥＰ  ０  ２７３  ２５９  Ａ１に記述されたクランプ装置は、縦スロットによって形成され、器具シャンクを保持するトングを持つクランプスリーブを備える。接触面、またはより具体的には、保持面が、特に縁に形成される。
【０００４】
従って、非常に高い応力にさらされるこれらの区域を耐食性の硬質材料で作ること、またはこのような区域をこのような材料で被覆することが知られているか、またはむしろ慣例ともなっている。
【０００５】
公表文書ＤＥ  ３３  ４６  ２４８  Ａ１は、例えば、二部から成るクランプ装置で歯科器具を固定するためのクランプ装置を開示している。締付力はばね仕掛け要素によって提供され、構造的に別々の締付顎部を通して、保持されるべき器具シャンクに伝達される。この特徴により、一方で、器具シャンクと接触する表面をできるだけ硬い耐食性材料で生成することが可能となり、他方では、接触面が摩耗した場合、締付顎部のみを交換すればよいため、メンテナンスが容易になる。
【０００６】
上述のクランプ装置の欠点は、保持面、またはより具体的には縁の比較的小さな寸法、および結果としての非常に高い力の入力である。
【０００７】
従って、本発明の目的は、特に弾力性のあるクランプ装置を提供することである。
【発明の概要】
【０００８】
この工学的目的は、円筒状器具シャンク、特に歯科器具を固定することを目的とし、器具シャンクを保持するためのばね仕掛け要素、回転運動を伝達するための中空シャフト、およびプランジャーを備えるクランプ装置によって達成される。ばね仕掛け要素は、円筒状の壁、第一の開口部および第二の開口部を持つスリーブとして設計され、この場合、壁は切り抜きを持つ。ばね仕掛け要素、シャフトおよびプランジャーは、同軸に配置された回転軸を持ち、この場合、シャフトはばね仕掛け要素の第一の開口部の中に少なくとも部分的に突出し、プランジャーはばね仕掛け要素の第二の開口部の中に少なくとも部分的に突出する。
【０００９】
例えば、外側シャフトによりシャフトに伝達されるトルクは、直接および／またはばね仕掛け要素および／またはプランジャーによって、ばね仕掛け要素に保持される器具シャンクに伝達されうる。器具シャンクは、非ポジティブエンゲージメントおよび／またはポジティブエンゲージメントの様式でばね仕掛け要素内に保持される。この場合、非ポジティブエンゲージメントは、ばね仕掛け要素の半径方向ばね力によって達成される。ポジティブエンゲージメントは、例えば、ばね仕掛け要素の溝、および器具シャンク上に対応して形成された突起物（例えば、ピンまたは円錐体）によって達成されうる。
【００１０】
本発明のばね仕掛け要素は、追加的中間部品なしに器具の接触相手となり、結果として、クランプ装置の小さくコンパクトな設計を可能にする。
【００１１】
構成要素、すなわちシャフトおよびプランジャーを構成するものが、ばね仕掛け要素と両側でかみ合うので、ばね仕掛け要素を開く、またはより具体的には、広げるための作動力が二度使用され、それ相応により少ない可能性がある。
【００１２】
ばね仕掛け要素のスリーブ形状設計は、可能な限り弾力性のあるばねのような区域および半径方向に作用する接触力も提供する。こうして、より少ない摩耗および良好な同心性の目的が達成される。固定位置のクランプ移動は、固定された器具シャンクの直径の許容変動よりもかなり大きいので、結果として、さらに、保持力の変動が小さくなり器具シャンクの直径の逸脱に対する許容性が大きくなる。
【００１３】
ばね仕掛け要素の壁の切り抜きは、最大応力を可能な限り低く保ち、その際、多数の潜在的器具変更を確実にするために、材料の使用を最適化する可能性を与える。この目的を果たすために、特に、幅、長さおよび切り抜きの数に関する特別な設計を最適化することが可能である。例えば、楕円形の弾性保持面を実行可能にするループ状の形状は、両側に交互に配置されたスロットによって達成することができる。しかし、このような幅の広いスロットが形成されるほど、保持面は線状に成ってしまう。
【００１４】
ばね仕掛け要素は、例えば、ばね仕掛け要素のシェル全体の上に均一に分布した穴などの、円形の切り抜きも備えうる。別の変形は、ひし形メッシュによって弱めた基体、すなわち、行と列に配置されたひし形の切り抜きを有するシェルを持つばね仕掛け要素である。
【００１５】
クランプ装置の構成要素の数が少ないことおよびこれらの構成要素が単純であることによって、特に費用対効果が高い生産が可能となる。
【００１６】
有利なことに、ばね仕掛け要素は、非ポジティブエンゲージメントおよび／またはポジティブエンゲージメントの様式でシャフトに接続される。この態様により、回転運動をシャフトからばね仕掛け要素に直接伝達することが可能となる。ポジティブエンゲージメントは、例えば、シャフト上の突起物およびばね仕掛け要素の壁の対応する切り抜きによって、またはばね仕掛け要素上の突起物（例えば、ピン）およびシャフト上の対応する切り抜き（例えば、溝）によって達成することができる。
【００１７】
有利なことに、切り抜きは、ばね仕掛け要素の回転軸に少なくともほぼ並行に延長するスロットとしてばね仕掛け要素の壁に形成され、この場合、ことによるとばね仕掛け要素の高さ全体に渡って作用する半径方向ばね力を提供するために、少なくとも一つのスロットはばね仕掛け要素の第一の開口部の所で始まり、少なくとも第二のスロットは第二の開口部の所で始まる。偶数のスロット、例えば４つまたは６つのスロットが単純な生産のために有利である。
【００１８】
有利なことに、第一の開口部の所で始まるスロットは、第二の開口部の所で始まるスロットからオフセットされるように、ばね仕掛け要素の周方向に配置される。この特徴は、小さな設計空間であっても長く、弾力的なばねのような区域を実施可能にするばね仕掛け要素のループ様の形状を達成するという目的を満足する。
【００１９】
有利なことに、スロットは、ばね仕掛け要素の開口部から外側を向いている端の上に幅広い切り抜きを持ち、結果として、ばね仕掛け要素の弾性が増加する。
【００２０】
有利なことに、ばね仕掛け要素は耐酸および耐食材料で作られる。この態様は、器具の直接的接触相手としてのその役割において特に摩耗を受けやすいばね仕掛け要素の耐用年数を延長することを可能にする。耐用年数を延長するために、ばね仕掛け要素全体を耐酸性でかつ耐食性の材料で形成する代わりに、内部表面、すなわち、器具と接触し、摩耗を受ける表面をこのような材料で被覆することが可能なことは言うまでもない。
【００２１】
有利なことに、ばね仕掛け要素は、プランジャーおよびシャフトがばね仕掛け要素の中に容易に移動するように、第一および第二の開口部の周りに内側に向かって斜め下方に傾斜する作動面を持つ。
【００２２】
さらに、本発明は、上述の種類のクランプ装置を備える歯科準備器具に関する。
【００２３】
本発明の例示的実施形態を図面で示す。
【図面の簡単な説明】
【００２４】
【図１】図１は、本発明によるクランプ装置の略図を示す。
【図２】図２Ａ、Ｂは、本発明によるばね仕掛け要素の第一の実施形態および第二の実施形態を示す。
【図３】図３Ａ、Ｂは、本発明によるクランプ装置の第一の実施形態および第二の実施形態を示す。
【図４】図４は、クランプ装置の追加的実施形態の略図を示す。
【図５】図５は、ばね仕掛け要素の壁の切り抜きの様々な実施形態を示す。
【発明を実施するための形態】
【００２５】
図１は、ばね仕掛け要素２、シャフト３、およびプランジャー４を備える本発明のクランプ装置１を示す。ばね仕掛け要素２、シャフト３およびプランジャー４はそれぞれ回転軸を持ち、この軸Ａに関して同軸に配置される。
【００２６】
図２Ａに切り離して示すばね仕掛け要素２は、円筒状の壁５、第一の開口部６および第二の開口部７を備えるスリーブとして形成され、固定されるべき器具シャンクの直径よりもわずかに小さい内径Ｉを持つ。
【００２７】
図２Ａに示す実施形態では、両側が千鳥状になっており、スリーブ形状のばね仕掛け要素２の２つの開口部６、７からそれぞれの反対側開口部６、７の方向に延長するスロット形状の切り抜き８のために、ばね仕掛け要素２の半径方向の拡幅、またはより具体的には、半径方向に作用するばね力が可能となる。示された例示的実施形態では、スロット形状の切り抜き８は幅広い円形切り抜き９で終わる。
【００２８】
生産に関連する理由のために、例えば、図２Ｂに示すようにそれぞれの側に偶数のスロットが好ましい。
【００２９】
さらに、ばね仕掛け要素２は、図１に示す実施形態によると、内側に向かって斜め下方に傾斜する作動面１０を持つ。ばね仕掛け要素２の一つの端へのシャフト３およびプランジャー４の部分的挿入が容易になるように、シャフト３およびプランジャー４は、外側に向かって斜め下方に傾斜する作動面１１、１２を持つ。斜め下方に傾斜する作動面１０、１１、１２は、例えば、円錐形または角錐台形状に設計しうる。
【００３０】
シャフト３および／またはプランジャー４をばね仕掛け要素２の中に移動すると、軸方向に生成された作動力のために、前記ばね仕掛け要素が広がるか、またはむしろ開く。この場合、ばね仕掛け要素２の内面１３の移動は、前記内面が、器具シャンクと接触する表面として、またはより具体的には、器具シャンクの保持面として使用される場合、スリーブ形状およびインターロッキング構成要素の本発明の同軸性配置の結果として、厳密に半径方向に実行される。内面１３は、クランプ装置１の回転軸Ａにほぼ並行のままとなる。この特徴により、大きく変化する器具シャンク直径の場合でさえも、接触面またはむしろ保持面として使用される内面１３を均一に適用することが可能となる。
【００３１】
シャフト３およびプランジャー４が再びばね仕掛け要素２から出された場合、このばね仕掛け要素は半径方向に収縮し、挿入された器具シャンクを内面１３全体に沿って保持する。この態様は、可能な限り低い単位面積当たり圧力の目的を達成し、結果として、摩耗が減少する。
【００３２】
回転運動をシャフト３から器具に伝達することを可能にするために、シャフト３は、図３Ａに示すように、器具を保持するばね仕掛け要素２、またはより具体的にはばね仕掛け要素２の対応する切り抜きとのポジティブエンゲージメント接続のための突起物１４を備えうる。
【００３３】
図２Ｂおよび３Ｂに示すように、ばね仕掛け要素２上に配置された一つまたは複数の突起物１７、およびシャフト３上の一つまたは複数の対応する切り抜き１８によって、ばね仕掛け要素２とシャフト３との間のポジティブエンゲージメント接続を提供することも可能である。
【００３４】
シャフトとばね仕掛け要素との間の厳密に非ポジティブエンゲージメント接続、またはばね仕掛け要素と回転運動を伝達する追加的構成要素との間の非ポジティブおよび／またはポジティブエンゲージメント接続でさえも可能である。
【００３５】
クランプ装置１はさらに、図４に示すように、トルクをシャフト３にまたはシャフト３およびばね仕掛け要素２に伝達する外側シャフト１５も備えることができ、そのために構成要素が非ポジティブエンゲージメントおよび／またはポジティブエンゲージメントの様式で互いに接続される。図４に示す実施形態によると、外側シャフト１５はシャフト３、プランジャー４およびばね仕掛け要素２を包み、開口部１６および／または従来技術で知られている様式でプランジャー４を作動するための作動要素を持つ。
【００３６】
ばね仕掛け要素２の壁５を弱めるための切り抜き８は幅広い形状を持ちうる。一部の例を図５に示す。
【００３７】
参照番号および文字のリスト
１    クランプ装置
２    ばね仕掛け要素
３    シャフト
４    プランジャー
５    ばね仕掛け要素の壁
６    ばね仕掛け要素の第一の開口部
７    ばね仕掛け要素の第二の開口部
８    切り抜き
９    切り抜き
１０  ばね仕掛け要素の作動面
１１  シャフトの作動面
１２  プランジャーの作動面
１３  ばね仕掛け要素の内面
１４  突起物
１５  外側シャフト
１６  開口部
１７  突起物
１８  切り抜き
Ａ    クランプ装置の回転軸
Ｉ    内径
【図１】
2018512221.tif 000003
【図２Ａ】
2018512221.tif 000004
【図２Ｂ】
2018512221.tif 000005
【図３Ａ】
2018512221.tif 000006
【図３Ｂ】
2018512221.tif 000007
【図４】
2018512221.tif 000008
【図５】
2018512221.tif 000009
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
円筒状器具シャンク、特に歯科器具を固定するためのクランプ装置（１）であって、前記クランプ装置が、前記器具シャンクを保持するためのばね仕掛け要素（２）、回転運動を伝達するための中空シャフト（３）、およびプランジャーを備え、前記ばね仕掛け要素（２）が、円筒状の壁、第一の開口部（６）および第二の開口部（７）を持つスリーブとして設計されており、前記壁が切り抜き（８）を持ち、前記ばね仕掛け要素（２）、前記シャフト（３）および前記プランジャー（４）が同軸性に配置された回転軸を持つことを特徴とし、前記ばね仕掛け要素（６）を広げるために、前記シャフト（３）が前記ばね仕掛け要素（２）の前記第一の開口部（６）の中に少なくとも部分的に突出し、前記ばね仕掛け要素（６）を広げるために、前記プランジャー（４）が前記ばね仕掛け要素（２）の前記第二の開口部（７）の中に少なくとも部分的に突出するクランプ装置。
【請求項２】
前記ばね仕掛け要素（２）が、ポジティブエンゲージメントおよび／または非ポジティブエンゲージメント様式で前記シャフト（３）に接続されることを特徴とする、請求項１に記載のクランプ装置（１）。
【請求項３】
前記切り抜き（８）が、前記ばね仕掛け要素（２）の前記回転軸に少なくともほぼ並行に延長するスロットとして、前記ばね仕掛け要素（２）の前記壁に形成され、少なくとも一つのスロットが前記ばね仕掛け要素（２）の前記第一の開口部（６）の所で始まり、少なくとも第二のスロットが前記第二の開口部（７）の所で始まることを特徴とする、請求項１または２に記載のクランプ装置（１）。
【請求項４】
前記第一の開口部（６）の所で始まる前記スロットが、前記第二の開口部（７）の所で始まるスロットからオフセットされるように、ばね仕掛け要素（２）の周方向に配置されることを特徴とする、請求項３に記載のクランプ装置（１）。
【請求項５】
前記スロットが、前記ばね仕掛け要素（２）の前記開口部（６、７）から外側を向いている端の上に幅広い切り抜き（９）を持つことを特徴とする、請求項３または４に記載のクランプ装置（１）。
【請求項６】
前記ばね仕掛け要素（２）が耐酸および耐食材料で作られていることを特徴とする、請求項１〜５のいずれか一項に記載のクランプ装置（１）。
【請求項７】
前記ばね仕掛け要素（２）が、前記第一および前記第二の開口部（６、７）の周りに、内側に向かって斜め下方に傾斜する作動面（１０）を持つことを特徴とする、請求項１〜６のいずれか一項に記載のクランプ装置（１）。
【請求項８】
前記準備器具が、請求項１〜７のいずれか一項に記載のクランプ装置（１）を備えることを特徴とする、歯科準備器具。
【国際調査報告】
2018512221.tif 000010
2018512221.tif 000011
2018512221.tif 000012
2018512221.tif 000013